(57)【要約】【課題】加圧ポンプを内蔵した貯湯式給湯装置の水抜き性を向上する。【解決手段】湯水を貯湯する貯湯タンク１と、貯湯タンク１内の湯水を加熱する加熱手段２と、貯湯タンク１下部に給水する給水管３と、貯湯タンク１上部から給湯する給湯管４と、貯湯タンク１上部と連通して開弁状態で貯湯タンク１を大気開放する開閉弁１１と、給湯管４途中に設けられ湯水を圧送する加圧ポンプ１９と、加圧ポンプ１９の吐出側の逆止弁２０と、水抜き動作の開始を指示する指示手段２２と、指示手段２２が操作されると、一定時間加圧ポンプ１９を駆動するようにした。【選択図】図１
2011012889.tif 000002
【特許請求の範囲】
【請求項１】
湯水を貯湯する貯湯タンクと、前記貯湯タンク内の湯水を加熱する加熱手段と、前記貯湯タンク下部に給水する給水管と、前記貯湯タンク上部から給湯する給湯管と、前記貯湯タンク上部と連通して開弁状態で前記貯湯タンクを大気開放する開閉弁と、前記給湯管途中に設けられ湯水を圧送する加圧ポンプと、前記加圧ポンプの吐出側の逆止弁と、水抜き動作の開始を指示する指示手段と、前記指示手段が操作されると、一定時間前記加圧ポンプを駆動するようにしたことを特徴とする加圧ポンプ内蔵貯湯式給湯装置。
【請求項２】
前記給水管から分岐して前記給湯管に合流する給水バイパス管と、前記給水バイパス管からの水と前記貯湯タンクからの湯との混合比率を調整する混合弁とを設け、前記指示手段が操作されると、前記混合弁の開度を所定の中間開度にすると共に、一定時間前記加圧ポンプを駆動するようにしたことを特徴とする請求項１記載の加圧ポンプ内蔵貯湯式給湯装置。
【発明の詳細な説明】
【技術分野】
【０００１】
本発明は、貯湯タンク内に貯湯された湯水を圧送する加圧ポンプを内蔵した貯湯式給湯装置に関するものである。
【背景技術】
【０００２】
従来より、この種の貯湯式給湯装置においては、給湯経路途中に貯湯タンク内に貯湯された湯水を圧送する加圧ポンプを貯湯タンクユニット内に内蔵して設けたものが知られている（特許文献１参照）。
【先行技術文献】
【特許文献】
【０００３】
【特許文献１】特開２００７−２４３９２号公報
【発明の概要】
【発明が解決しようとする課題】
【０００４】
ところが、この従来のものでは、加圧ポンプの吐出側に逆止弁を設けた場合、貯湯タンクユニットの水抜きを行う際に、給湯管の接続口に設けられている水抜き栓を開いても加圧ポンプ内の湯水が逆止弁の影響によって排水できず、雰囲気温度が低下すると残留水が凍結して加圧ポンプや逆止弁が破損してしまう問題があった。
【課題を解決するための手段】
【０００５】
そこで、上記課題を解決するため、湯水を貯湯する貯湯タンクと、前記貯湯タンク内の湯水を加熱する加熱手段と、前記貯湯タンク下部に給水する給水管と、前記貯湯タンク上部から給湯する給湯管と、前記貯湯タンク上部と連通して開弁状態で前記貯湯タンクを大気開放する開閉弁と、前記給湯管途中に設けられ湯水を圧送する加圧ポンプと、前記加圧ポンプの吐出側の逆止弁と、水抜き動作の開始を指示する指示手段と、前記指示手段が操作されると、一定時間前記加圧ポンプを駆動するようにした。
【０００６】
また、前記給水管から分岐して前記給湯管に合流する給水バイパス管と、前記給水バイパス管からの水と前記貯湯タンクからの湯との混合比率を調整する混合弁とを設け、前記指示手段が操作されると、前記混合弁の開度を所定の中間開度にすると共に、一定時間前記加圧ポンプを駆動するようにした。
【発明の効果】
【０００７】
このように本発明によれば、水抜きのための指示手段が操作されると、一定時間加圧ポンプが駆動されるため、加圧ポンプおよび逆止弁の残留水が排出され、低外気温時に加圧ポンプや逆止弁の破損を防止できる。
【０００８】
また、混合弁を所定の中間開度とした状態で加圧ポンプが駆動されるため、給湯管および給水バイパス管の両方の残留水も良好に水抜きすることができるものである。
【図面の簡単な説明】
【０００９】
【図１】本発明の一実施形態の概略構成図。
【図２】同一実施形態の作動を説明するためのフローチャート。
【発明を実施するための形態】
【００１０】
次に、本発明の一実施形態を図面に基づいて説明する。
１は湯水を貯湯する貯湯タンク、２は貯湯タンク１内の湯水を加熱する加熱手段、３は貯湯タンク１底部に接続された給水管、４は貯湯タンク１頂部から給湯栓５へ給湯するための給湯管、６は給水管３から分岐して給湯管４へ合流する給水バイパス管、７は給水バイパス管６と給湯管４との合流点に設けられ給水管３からの水と貯湯タンク１からの湯との混合比率を調整する混合弁である。
【００１１】
８は混合弁７の下流に設けられ給湯流量を検出する流量センサ、９は流量センサ８の下流に設けられ給湯温度を検出する給湯温度センサ、１０は給水管３途中に設けられ給水圧を所定の圧力に減圧する減圧弁、１１は開弁状態で貯湯タンク１を大気開放する開閉弁である。なお、この開閉弁１１は、手動で開弁可能であると共に、貯湯タンク１内が所定の高圧設定値を超過すると自動で開弁し、圧力を逃がす圧力逃がし弁を兼ねているものである。
【００１２】
１２は給湯管４と外部の給湯配管とを接続するための給湯接続口、１３は給水管３と外部の給水配管とを接続するための給水接続口、１４は給湯接続口１２および給水接続口１３にそれぞれ設けられた水抜き栓、１５は貯湯タンク１底部に接続され排水栓１６を有した排水管、１７は給水管３の上流側に設けられた止水栓、１８は貯湯タンク１の側面上下に複数設けられ貯湯温度を検出する貯湯温度センサである。
【００１３】
１９は給湯管４途中に設けられ湯水を圧送する加圧ポンプ、２０は加圧ポンプ１９の吐出側に設けられ貯湯タンク１側への逆流を防止する逆止弁である。
【００１４】
２１は給湯設定温度を設定すると共に、水抜き動作の開始を指示する指示手段２２を有したリモートコントローラ、２３はこの加圧ポンプ内蔵貯湯式給湯装置の作動を制御するマイクロコンピュータを有した制御部である。
【００１５】
そして、この制御部２３は、給湯栓５が開かれると、流量センサ８を介して流量を検出し、加圧ポンプ１９を駆動開始すると共に、リモートコントローラ２１で設定された給湯設定温度の給湯を行うように、給湯温度センサ９が検出する給湯温度が給湯設定温度と一致するように混合弁７の開度を調整する。そして、給湯栓５が閉じられて流量センサ８が流量を検出しなくなると、加圧ポンプ１９の駆動停止し、給湯を終了する。
【００１６】
また、制御部２３は、深夜時間帯になると、貯湯温度センサ１８で検出した貯湯タンク１内の貯湯熱量を検出し、翌朝までに貯湯タンク１内の貯湯熱量が目標の貯湯熱量となるように加熱手段２を駆動して沸き上げ運転を行うものである。
【００１７】
次に、この一実施形態の作動を図２のフローチャートに基づいて説明する。
長期間給湯を使用しない等の水抜きが必要な状況となると、ユーザーは止水栓１７を閉弁すると共に、給湯栓５、開閉弁１１および排水栓１６を開き、貯湯タンク１内の湯水を排水する。
【００１８】
そして、指示手段２２が操作されると、制御部２３は水抜きモードを開始する（ステップＳ１）。水抜きモードが開始されると、制御部２３は混合弁７を所定の中間開度にすると共に、加圧ポンプ１９の駆動を開始する（ステップＳ２）。
【００１９】
加圧ポンプ１９が駆動されると、給湯管４および給水バイパス管６の残留水が加圧ポンプ１９によって吸い出されて排水される。加圧ポンプ１９の駆動開始から一定時間が経過すると（ステップＳ３）、加圧ポンプ１９の駆動を停止し（ステップＳ４）、水抜きモードを終了する（ステップＳ５）。
【００２０】
このようにして、水抜きモード時に加圧ポンプ１９が一定時間駆動されるため、給湯管４、給水バイパス管６、混合弁７、加圧ポンプ１９および逆止弁２０の残留水が排水され、加圧ポンプ１９よりも下流側の確実な水抜きが可能となり、低外気温時に加圧ポンプ１９や逆止弁２０の破損を防止できるものである。
【００２１】
また、加圧ポンプ１９は水抜きモードでの駆動開始から一定時間の経過で停止されるため、不要な空回し時間を制限することができ、加圧ポンプ１９の寿命を徒に短縮させることがない。
【００２２】
なお、水抜きモードの開始を指示する指示手段２２は制御部２３の電気回路基板上にスイッチを直接設ける構成としてもよいものであり、加熱手段２としてヒートポンプ式の加熱手段としてもよいものであり、発明の要旨を変更しない範囲で改変可能なものである。
【符号の説明】
【００２３】
１  貯湯タンク
２  加熱手段
３  給水管
４  給湯管
６  給水バイパス管
７  混合弁
１１  開閉弁
１９  加圧ポンプ
２０  逆止弁
２２  指示手段
【図１】
2011012889.tif 000003
【図２】
2011012889.tif 000004